(57)【要約】【課題】予め与えられたサイズのままでも良好に排泄液を吸収することができ、かつ、必要に応じて小さいサイズに分離して使用することもできる吸収パッドを提供する。【解決手段】吸収パッド１は、液透過性の第１シート１１及び第２シート１２と、両シート１１，１２の間に挟まれた２つの吸収体２１，２２とを備える。吸収体２１と吸収体２２との間において、第１シート１１及び第２シート１２は、下面側へ引き出されている。そして、それにより形成されたひだ１３１が、第２シート１２の他の部分の下面に、仮接合されている。吸収体２１，２２が互いに接近した状態となっているため、吸収パッド１は、着用者の尿を良好に吸収することができる。また、必要に応じて仮接合を解除し、吸収パッド１を小さいサイズに切断して使用することもできる。【選択図】図１
2011056092.tif 000002
【特許請求の範囲】
【請求項１】
着用者の排泄液を吸収する吸収パッドであって、
略平面状に配置された複数の吸収体と、
前記複数の吸収体の一方の面を被覆する単一又は複数の液透過性の第１シートと、
前記複数の吸収体の他方の面を被覆する単一又は複数の液透過性の第２シートと、
を備え、
前記第１シート及び前記第２シートの、隣り合う吸収体の間に位置する部分が、前記吸収体より前記第２シート側の空間へ引き出されており、
前記空間へ引き出された部分において、少なくとも、前記第１シート同士が仮接合されていることを特徴とする吸収パッド。
【請求項２】
請求項１に記載の吸収パッドであって、
前記第１シート及び前記第２シートの前記空間へ引き出された部分が、前記第２シートの他の部分に、仮接合されていることを特徴とする吸収パッド。
【請求項３】
請求項１又は請求項２に記載の吸収パッドであって、
前記仮接合は、超音波接合、熱融着接合、エンボス、繊維螺合結合、及び仮接合用の接着剤による接着のいずれかであることを特徴とする吸収パッド。
【請求項４】
請求項１から請求項３までのいずれかに記載の吸収パッドであって、
前記第１シート及び前記第２シートは、それぞれ、前記隣り合う吸収体の間に位置する部分を介して連続していることを特徴とする吸収パッド。
【請求項５】
請求項４に記載の吸収パッドであって、
前記第１シート及び前記第２シートに、前記隣り合う吸収体の境界に沿ってのびる弱化線が形成されていることを特徴とする吸収パッド。
【請求項６】
請求項５に記載の吸収パッドであって、
前記第１シート及び前記第２シートの繊維の配向は、前記弱化線に沿う方向であることを特徴とする吸収パッド。
【請求項７】
請求項１から請求項６までのいずれかに記載の吸収パッドであって、
前記第１シートと前記第２シートとが、少なくとも、前記隣り合う吸収体の間に位置する部分において、互いに接合されていることを特徴とする吸収パッド。
【請求項８】
請求項１から請求項７までのいずれかに記載の吸収パッドであって、
前記複数の吸収体は、一列に配列されていることを特徴とする吸収パッド。
【請求項９】
請求項１から請求項８までのいずれかに記載の吸収パッドであって、
前記複数の吸収体は、三角形状の吸収体を含むことを特徴とする吸収パッド。
【発明の詳細な説明】
【技術分野】
【０００１】
本発明は、着用者の排泄液を吸収する吸収パッドに関する。
【背景技術】
【０００２】
従来、おむつとともに使用されて、おむつによる尿の吸収を補助する吸収パッドが知られている。このような吸収パッドの例として、特許文献１には、バックシートと液透性のトップシートとの間に吸収体が配置された、使い捨て補助パッドが記載されている。また、特許文献２には、液透過性のトップシートと液不透過性のバックシートとの間に複数の吸収体を並設し、吸収体間の接合部分にミシン目を施した吸収性物品が記載されている。
【先行技術文献】
【特許文献】
【０００３】
【特許文献１】特許第４１３２４６５号公報
【特許文献２】特開２００８−７３１８７号公報
【発明の概要】
【発明が解決しようとする課題】
【０００４】
おむつによる尿の吸収を適切に補助するためには、着用者の体型や、吸収パッドを配置する部位に応じて、吸収パッドの大きさや厚みを、変更することが望ましい。しかしながら、特許文献１の吸収パッドは、予め与えられたサイズのまま使用することが想定されている。このため、特許文献１の吸収パッドを小さいサイズに分離して使用することは、困難であった。
【０００５】
特許文献２の吸収性物品は、ミシン目により、各区画を他の区画から切り離しできるようになっている。しかしながら、特許文献２の吸収性物品は、区画間の接合部分に吸収体が配置されていない。このため、特許文献２の吸収性物品を、予め与えられたサイズのまま使用しようとすると、区画間の接合部分において尿の吸収力が弱い、という問題があった。
【０００６】
本発明は、このような事情に鑑みなされたものであり、予め与えられたサイズのままでも良好に排泄液を吸収することができ、かつ、必要に応じて小さいサイズに分離して使用することもできる吸収パッドを提供することを目的とする。
【課題を解決するための手段】
【０００７】
上記課題を解決するため、本願の第１発明は、着用者の排泄液を吸収する吸収パッドであって、略平面状に配置された複数の吸収体と、前記複数の吸収体の一方の面を被覆する単一又は複数の液透過性の第１シートと、前記複数の吸収体の他方の面を被覆する単一又は複数の液透過性の第２シートと、を備え、前記第１シート及び前記第２シートの、隣り合う吸収体の間に位置する部分が、前記吸収体より前記第２シート側の空間へ引き出されており、前記空間へ引き出された部分において、少なくとも、前記第１シート同士が仮接合されていることを特徴とする。
【０００８】
本願の第２発明は、第１発明の吸収パッドであって、前記第１シート及び前記第２シートの前記空間へ引き出された部分が、前記第２シートの他の部分に、仮接合されていることを特徴とする。
【０００９】
本願の第３発明は、第１発明又は第２発明の吸収パッドであって、前記仮接合は、超音波接合、熱融着接合、エンボス、繊維螺合結合、及び仮接合用の接着剤による接着のいずれかであることを特徴とする。
【００１０】
本願の第４発明は、第１発明から第３発明までのいずれかの吸収パッドであって、前記第１シート及び前記第２シートは、それぞれ、前記隣り合う吸収体の間に位置する部分を介して連続していることを特徴とする。
【００１１】
本願の第５発明は、第４発明の吸収パッドであって、前記第１シート及び前記第２シートに、前記隣り合う吸収体の境界に沿ってのびる弱化線が形成されていることを特徴とする。
【００１２】
本願の第６発明は、第５発明の吸収パッドであって、前記第１シート及び前記第２シートの繊維の配向は、前記弱化線に沿う方向であることを特徴とする。
【００１３】
本願の第７発明は、第１発明から第６発明までのいずれかの吸収パッドであって、前記第１シートと前記第２シートとが、少なくとも、前記隣り合う吸収体の間に位置する部分において、互いに接合されていることを特徴とする。
【００１４】
本願の第８発明は、第１発明から第７発明までのいずれかの吸収パッドであって、前記複数の吸収体は、一列に配列されていることを特徴とする。
【００１５】
本願の第９発明は、第１発明から第８発明までのいずれかの吸収パッドであって、前記複数の吸収体は、三角形状の吸収体を含むことを特徴とする。
【発明の効果】
【００１６】
本願の第１発明〜第９発明によれば、隣り合う吸収体が互いに接近した状態となるため、排泄液を良好に吸収することができる。また、必要に応じて仮接合を解除し、吸収パッドを小さいサイズに分離して使用することもできる。
【００１７】
特に、本願の第２発明によれば、第１シート及び第２シートの突出を抑制することができる。
【００１８】
特に、本願の第３発明によれば、分離可能な強度の仮接合を、容易に行うことができる。
【００１９】
特に、本願の第４発明によれば、第１シート及び第２シートが、それぞれ単一のシートであるため、より簡易な工程で吸収パッドを製造することができる。
【００２０】
特に、本願の第５発明によれば、弱化線を破断することにより、第１シート及び第２シートを容易に切断できる。
【００２１】
特に、本願の第６発明によれば、第１シート及び第２シートを、弱化線に沿う方向に、より容易に切断できる。
【００２２】
特に、本願の第７発明によれば、第１シートと第２シートとが開いたり、第１シートと第２シートとの間から吸収体が漏れ出したりすることを、防止できる。
【００２３】
特に、本願の第８発明によれば、任意の箇所で仮接合を解除して吸収パッドを分離し、所望の長さの吸収パッドを得ることができる。また、吸収パッドを分離する方向が一方向のみとなるため、分離作業が容易となる。
【００２４】
特に、本願の第９発明によれば、吸収パッドを、鋭角を含む形状に分離できる。このため、分離後の吸収パッドを、狭い隙間にフィットさせることができる。例えば、分離後の吸収パッドを、着用者の大腿部とおむつとの隙間を埋めるために、使用することができる。
【図面の簡単な説明】
【００２５】
【図１】吸収パッドの斜視図である。
【図２】吸収パッドを第２シート側から見た平面図である。
【図３】吸収パッドを図２中のIII−III位置から見た断面図である。
【図４】間隙部の拡大断面図である。
【図５】仮接合を解除するときの様子を示した図である。
【図６】間隙部を切断するときの様子を示した図である。
【図７】折り畳まれた吸収パッドの斜視図である。
【図８】間隙部にミシン目が形成された吸収パッドの平面図である。
【図９】第１シートのみを仮接合させた吸収パッドの断面図である。
【図１０】３つの吸収体を有する吸収パッドの斜視図である。
【図１１】部分的に折り畳まれた吸収パッドの斜視図である。
【図１２】三角形状の吸収体を有する吸収パッドの斜視図である。
【図１３】切断後の三角形状の吸収パッドの使用例を示した図である。
【図１４】間隙部において第１シート及び第２シートが予め分離された吸収パッドの断面図である。
【発明を実施するための形態】
【００２６】
以下、本発明の好適な実施形態について、図面を参照しつつ説明する。
【００２７】
＜１．一実施形態に係る吸収パッド＞
図１は、本発明の一実施形態に係る吸収パッド１の斜視図である。図２は、吸収パッド１を第２シート１２側から見た平面図である。また、図３は、吸収パッド１を図２中のIII−III位置から見た断面図である。
【００２８】
この吸収パッド１は、おむつの内側に敷いたり、おむつと着用者の肌との隙間に挿し込んだりして、おむつによる尿の吸収を補助するためのものである。おむつの着用者は、おむつとともに吸収パッド１を使用することにより、おむつからの尿の漏れ（隙間漏れや伝い漏れなど）を防止することができる。
【００２９】
図１〜図３に示したように、吸収パッド１は、液透過性の第１シート１１及び第２シート１２と、両シート１１，１２の間に挟まれた２つの吸収体２１，２２と、を備えている。おむつの着用者から排泄された尿が、第１シート１１又は第２シート１２に接触すると、当該尿は、これらのシート１１，１２を透過して、吸収体２１，２２に吸収保持される。
【００３０】
第１シート１１及び第２シート１２は、例えば、親水性繊維（セルロース、レーヨン、コットン等）を用いた不織布により構成される。また、第１シート１１及び第２シート１２は、疎水性繊維（ポリプロピレン、ポリエチレン、ポリエステル、ポリアミド、ナイロン等）の表面を界面活性剤により処理して液透過性とした不織布により構成されていてもよい。
【００３１】
吸収体２１，２２は、それぞれ扁平な矩形状に形成されている。吸収体２１，２２は、各々の一端辺が隣り合い、全体として略同一平面上に位置するように、配置されている。吸収体２１，２２の一方の面（以下、「上面」という。）は、第１シート１１に被覆されている。また、吸収体２１，２２の他方の面（以下、「下面」という。）は、第２シート１２に被覆されている。
【００３２】
吸収体２１，２２は、例えば、顆粒状の高分子吸収体を平面状に分布させたものにより構成される。吸収体２１，２２は、粉砕したパルプ繊維やセルロース繊維などの親水性繊維の集合層に、顆粒状の高分子吸収体を混合した塊を、ティッシュペーパーなどの紙シート又は液透過性の不織布で被覆したものであってもよい。また、吸収体２１，２２は、一対の液透過性のシートの間に接着剤を介して高分子吸収体を固定した、シート状の吸収体であってもよい。
【００３３】
なお、吸収体２１，２２を、パルプ非存在の高分子吸収体により構成すれば、吸収体２１，２２を薄型化できる点で、好ましい。
【００３４】
図３に示したように、吸収体２１，２２は、第１シート１１及び第２シート１２の間に、接着剤３１により固定されている。また、隣り合う吸収体２１，２２の間（以下、「間隙部１３」という。）において、第１シート１１及び第２シート１２は、接着剤３１を介して互いに接合されている。また、吸収パッド１の周縁部１４においても、第１シート１１及び第２シート１２は、接着剤３１を介して互いに接合されている。
【００３５】
第１シート１１及び第２シート１２と吸収体２１，２２との間には、間隙部１３や周縁部１４よりも低い密度で、接着剤３１が塗布されている。これにより、第１シート１１又は第２シート１２から吸収体２１，２２への尿の透過が、接着剤３１により阻まれることが、抑制されている。
【００３６】
図１〜図３に示したように、第１シート１１及び第２シート１２は、間隙部１３において、吸収体２１，２２の下面側の空間へ引き出されている。これにより、吸収体２１と吸収体２２とが接近し、これらの間に、第１シート１１及び第２シート１２のひだ１３１が形成されている。そして、第１シート１１及び第２シート１２のひだ１３１は、第２シート１２の他の部分の下面に、仮接合されている。
【００３７】
図４は、間隙部１３の拡大断面図である。なお、図３及び図４では、仮接合がされている部分（以下、「仮接合部４０」という。）が、太い実線により概念的に示されている。図４のように、仮接合部４０は、ひだ１３１自体の内部に形成された第１仮接合部４１と、ひだ１３１と他の部位との間に形成された第２仮接合部４２と、を含んでいる。第１仮接合部４１においては、ひだ１３１の内側面を構成する第１シート１１同士が、仮接合されている。第２仮接合部４２においては、ひだ１３１の表面を構成する第２シート１２と、吸収体２２の下方に位置する第２シート１２とが、仮接合されている。
【００３８】
仮接合は、手で引っ張ることにより、容易に分離できる程度の接合強度であることが好ましい。例えば、超音波接合、熱融着接合、エンボス、繊維螺合結合（穿孔により、シートを構成する繊維同士を絡ませる結合）、又は仮接合用の接着剤による接着を利用すれば、上記強度の仮接合を、容易に実現することができる。
【００３９】
このような仮接合により、隣り合う吸収体２１，２２は、互いに接近した状態に維持されている。これにより、吸収体２１と吸収体２２との間の吸収力の弱い部分が、縮小されている。すなわち、後述する吸収パッド１の切断を行う前には、吸収体２１と吸収体２２とが、ほぼ連続的に配置されている。このため、本実施形態の吸収パッド１は、着用者の尿を良好に吸収することができる。
【００４０】
特に、本実施形態では、第２仮接合部４２において、ひだ１３１と第２シート１２の他の部分とが、仮接合されている。これにより、ひだ１３１が倒伏した状態とされている。このため、吸収パッド１の下面側において、ひだ１３１の突出が抑制され、おむつの内部に、吸収パッド１が良好に収まるようになっている。
【００４１】
使用者は、必要に応じて、吸収パッド１を切断し、小さいサイズの吸収パッドを得ることができる。吸収パッド１を切断するときには、まず、図５のように、吸収パッド１の両端部を外側に引っ張り、仮接合を解除する。吸収パッド１の両端部を外側に引っ張ると、第１仮接合部４１及び第２仮接合部４２の双方において、仮接合が解除される。その結果、ひだ１３１が展張され、吸収体２１と吸収体２２とが離間する。
【００４２】
その後、使用者は、図６のように、第１シート１１及び第２シート１２を、間隙部１３に沿って、例えばハサミで切断する。これにより、切断前の吸収パッド１より小さいサイズの２つの吸収パッドが得られる。
【００４３】
切断されていない吸収パッド１は、例えば、おむつの内側の比較的広い領域に敷いて、使用することができる。一方、切断後の吸収パッドは、例えば、着用者とおむつとの間の小さい隙間を埋めるために、使用することができる。
【００４４】
このように、使用者は、吸収パッド１を、予め与えられたサイズのままで使用することができるとともに、小さいサイズに切断して使用することもできる。すなわち、使用者は、吸収パッドのサイズを、状況に応じて選択することができる。これにより、着用者の体型や、吸収パッドを配置する部位に応じて、適当なサイズの吸収パッドを、無駄なく使用することができる。
【００４５】
また、上述の通り、第１シート１１及び第２シート１２は、間隙部１３及び周縁部１４において、互いに接合されている。このため、切断後の吸収パッドも、その周縁部において第１シート１１と第２シート１２とが接合された状態となっている。したがって、切断後の吸収パッドの周縁部において、第１シート１１と第２シート１２とが開いたり、切断後の吸収パッドの周縁部から吸収体２１，２２が漏れ出したりすることが、防止される。
【００４６】
また、使用者は、仮接合部４０のうち、第２仮接合部４２のみを切断し、図７のように、吸収パッド１を折り畳んで使用することもできる。このようにすれば、２つの吸収体２１，２２が積層配置されるため、単位面積当たりの尿の吸収能力が向上する。使用者は、例えば、尿の漏れ量が多い箇所に、吸収パッド１を折り畳んで配置することができる。
【００４７】
＜２．変形例＞
以上、本発明の一実施形態について説明したが、本発明は上記の実施形態に限定されるものではない。
【００４８】
上記の実施形態では、ハサミ等を使用して吸収パッド１を切断していたが、例えば、図８の吸収パッド１Ａのように、第１シート１１及び第２シート１２に、予めミシン目１５が形成されていてもよい。図８の例では、ミシン目１５は、隣り合う吸収体２１，２２の境界に沿って、第１シート１１及び第２シート１２の一方の端部から他方の端部まで、延びている。このようにすれば、ミシン目１５を破断することにより、第１シート１１及び第２シート１２を容易に切断できる。
【００４９】
使用者は、図５と同じように、吸収パッド１Ａを外側に引っ張って仮接合を解除した後、そのまま吸収パッド１Ａをさらに外側に引っ張ることにより、第１シート１１及び第２シート１２を切断できる。したがって、吸収パッド１の切断作業時に、ハサミ等の器具を使用する必要はない。
【００５０】
また、第１シート１１及び第２シート１２に、図８のミシン目１５に代えて、他の弱化線が設けられていてもよい。弱化線は、第１シート１１及び第２シート１２を部分的に弱化させて、第１シート１１及び第２シート１２の切断を容易にするものであればよい。例えば、第１シート１１及び第２シート１２に、ミシン目に代えて、超音波融着、熱融着、エンボス加工等による弱化線が形成されていてもよい。
【００５１】
また、弱化線を設ける場合には、第１シート１１及び第２シート１２の繊維の配向を、弱化線に沿う方向としておくことが望ましい。このようにすれば、使用者は、第１シート１１及び第２シート１２を、弱化線に沿う方向に、より容易に切断できる。
【００５２】
また、上記の実施形態では、仮接合部４０は、ひだ１３１の全幅に亘って形成されていたが、仮接合部４０は、ひだ１３１の幅方向の一部分のみに設けられていてもよい。ただし、吸収体２１，２２を安定して接近状態に維持するためには、仮接合部４０が、ひだ１３１の全幅に亘って形成されていることが望ましい。
【００５３】
また、上記の実施形態では、仮接合部４０は、第１仮接合部４１と第２仮接合部４２とを有していたが、仮接合部４０は、必ずしもこのような接合形態でなくてもよい。例えば、図９の吸収パッド１Ｂのように、ひだ１３１の内側において、第１シート１１のみを仮接合させてもよい。このような形態であっても、仮接合部４０により、隣り合う吸収体２１，２２は、互いに接近した状態に維持される。
【００５４】
また、上記の実施形態では、第１シート１１と第２シート１２との間に、２つの吸収体２１，２２が配置されていたが、第１シート１１と第２シート１２との間に、３つ以上の吸収体が配置されていてもよい。例えば、図１０の吸収パッド１Ｃのように、第１シート１１と第２シート１２との間に、３つの吸収体２１〜２３が配置されていてもよい。
【００５５】
図１０の例では、吸収体２１と吸収体２２との間において、第１シート１１及び第２シート１２が下面側へ引き出され、それにより形成されたひだ１３１が、第２シート１２の他の部分の下面に、仮接合されている。また、吸収体２２と吸収体２３との間において、第１シート１１及び第２シート１２が下面側へ引き出され、それにより形成されたひだ１３２が、第２シート１２の他の部分の下面に、仮接合されている。
【００５６】
図１０のように、複数の吸収体を一列に配列すれば、任意の間隙部において第１シート及び第２シートを切断することにより、所望の長さの吸収パッドを得ることができる。また、第１シート及び第２シートの切断方向は一方向のみとなり、かつ、切断すべき長さも一辺分のみとなるため、吸収パッドの切断作業が容易となる。
【００５７】
また、３つ以上の吸収体を配置した場合、吸収パッドを部分的に折り畳んで使用することが可能となる。図１１は、図１０の吸収パッド１Ｃを、吸収体２２と吸収体２３との間を境として折り畳んだ状態を示した斜視図である。図１１の例では、吸収パッド１Ｂに含まれる３つの吸収体２１〜２３のうち、２つの吸収体２２，２３が積層された状態となっている。このようにすれば、例えば、尿の漏れ量が多い箇所に、積層された２つの吸収体２２，２３を配置し、尿の漏れ量が少ない箇所に残りの１つの吸収体２１を配置する、といった使用の仕方が可能となる。
【００５８】
また、上記の実施形態では、平面視において矩形状の吸収体２１，２２が使用されていたが、各吸収体の形状は、矩形以外の形状であってもよい。例えば、図１２の吸収パッド１Ｄのように、第１シート１１と第２シート１２との間に、平面視において三角形状の２つの吸収体２１，２２が配置されていてもよい。
【００５９】
図１２の例では、２つの吸収体２１，２２は、平面視において略直角二等辺三角形状となっており、その斜辺同士が対向するように、配置されている。そして、吸収体２１と吸収体２２との間において、第１シート１１及び第２シート１２が下面側へ引き出され、それにより形成されたひだ１３１が、第２シート１２の他の部分の下面に、仮接合されている。
【００６０】
図１２のように、三角形状の吸収体を含むようにすれば、吸収パッドを、鋭角を含む形状に切断できる。このため、切断後の吸収パッドを、狭い隙間にフィットさせることができる。例えば、図１３に示したように、切断後の吸収パッドを、着用者の大腿部とおむつとの隙間を埋めるために、使用することができる。
【００６１】
また、上記の実施形態や変形例では、吸収パッドに含まれる複数の吸収体の形状や大きさが同じであったが、１つの吸収パッドに、形状や大きさの異なる２種類の吸収体が含まれていてもよい。例えば、１つの吸収パッドに、平面視において矩形状の吸収体と、平面視において三角形状の吸収体とが、混在していてもよい。
【００６２】
また、上記の実施形態や変形例では、第１シート及び第２シートが、それぞれ、間隙部を介して連続していた。すなわち、第１シート及び第２シートが、それぞれ単一のシートであった。第１シート及び第２シートをそれぞれ単一のシートとすれば、吸収パッドを簡易な工程で製造できるメリットがある。しかしながら、第１シート及び第２シートは、必ずしも単一のシートでなくてもよい。
【００６３】
例えば、図１４の吸収パッド１Ｅのように、第１シート１１及び第２シート１２が、間隙部１３において予め分離されていてもよい。図１４の例では、第１シート１１は、別体の２枚の第１シート１１１，１１２で構成されている。また、第２シート１２は、別体の２枚の第２シート１２１，１２２で構成されている。第１シート１１１と第２シート１２１との間には、吸収体２１が配置され、第１シート１１２と第２シート１２２との間には、吸収体２２が配置されている。そして、吸収体２１と吸収体２２との間において、第１シート１１１，１１２及び第２シート１２１，１２２が下面側へ引き出され、引き出された部分が、第２シート１２の他の部分の下面に、仮接合されている。このようにすれば、仮接合部４０の接合を解除するだけで、吸収パッド１Ｅを２つの吸収パッドに分離することができる。したがって、１つの吸収パッド１Ｄから２つの吸収パッドを容易に得ることができる。
【００６４】
また、上記の実施形態や変形例の吸収パッドは、おむつとともに使用されて補助的に尿を吸収するものであったが、本発明の吸収パッドは、おむつとは別に使用されるものであってもよい。また、本発明の吸収パッドは、尿以外の排泄液を吸収するものであってもよい。
【００６５】
また、本発明の吸収パッドは、成人を対象としたものであってもよく、幼児を対象としたものであってもよい。
【符号の説明】
【００６６】
１，１Ａ，１Ｂ，１Ｃ，１Ｄ，１Ｅ  吸収パッド
１１  第１シート
１２  第２シート
１３  間隙部
１４  周縁部
１５  ミシン目
２１，２２，２３  吸収体
３１  接着剤
４０  仮接合部
４１  第１仮接合部
４２  第２仮接合部
【図１】
2011056092.tif 000003
【図２】
2011056092.tif 000004
【図３】
2011056092.tif 000005
【図４】
2011056092.tif 000006
【図５】
2011056092.tif 000007
【図６】
2011056092.tif 000008
【図７】
2011056092.tif 000009
【図８】
2011056092.tif 000010
【図９】
2011056092.tif 000011
【図１０】
2011056092.tif 000012
【図１１】
2011056092.tif 000013
【図１２】
2011056092.tif 000014
【図１３】
2011056092.tif 000015
【図１４】
2011056092.tif 000016